(57)【要約】【課題】無線通信システムにおいて、エアダウンロードの実施を容易に確認できるシステムを実現する。【解決手段】戸別受信機２０において、通信部２１は同報系親局１０の無線装置１６から送出された放送信号を受信し、その放送信号に自局を指定するＩＤが含まれる場合に、スピーカ２３から音声出力する。エアダウンロード処理が行われた場合の処理状態を報知する際に、ＬＥＤ２４が所定の表示態様で点灯する。情報更新部３０は、更新制御部３１と更新情報保持部３２と保持制御部３３とを備え、エアダウンロードを実行し戸別受信機２０に設定されているプログラムを更新する。更新制御部３１は、エアダウンロードによる更新データの受信処理を行い更新情報保持部３２に保持し、かつ更新指示信号を受信すると保持した更新情報に基づいて更新処理を行う。更新制御部３１は、更新処理が完了したか否かを判断し、ＬＥＤ２４を所定の態様で点灯させることで報知する。【選択図】図１
2015211261.tif 000002
【特許請求の範囲】
【請求項１】
基地局から送信された無線信号を受信する無線受信機と、前記基地局を介して前記無線受信機に放送を行う親局とを備える無線通信システムであって、
前記親局は、
前記無線受信機に更新情報を複数回送信し、前記無線受信機に前記更新情報による更新処理を行わせる更新指示信号を送信した後に、前記無線受信機に更新処理の完了を確認させる更新確認信号を送信する送信部を備え、
前記無線受信機は、
受信した前記更新情報を保持する保持部と、
前記更新指示信号を受信すると保持した前記更新情報に基づいて更新処理を行う更新処理部と、
前記更新確認信号を受信すると前記更新処理が完了したか否かを判断する判断部と、
前記判断部の判断結果を報知する報知部とを備える
ことを特徴とする無線通信システム。
【請求項２】
前記親局の前記送信部は、前記更新情報を複数の更新情報に分割し、分割した複数の前記更新情報に識別番号を付して複数回送信し、
前記無線受信機は、受信した前記更新情報の識別番号に基づいて、前記更新情報を前記保持部が保持済みであるか否かを判断し、保持済みであれば当該更新情報を破棄し、保持していなければ前記更新情報を前記保持部に保持させる保持制御部を備える
ことを特徴とする請求項１記載の無線通信システム。
【請求項３】
前記親局は、外部電話機から前記更新指示信号の送信指示を受ける第１受信部を備え、
前記送信部は、前記第１受付部が前記更新指示信号の送信指示を受けると、前記更新指示信号を送信する
ことを特徴とする請求項１または請求項２に記載の無線通信システム。
【請求項４】
前記親局は、外部電話機から前記更新確認信号の送信指示を受ける第２受付部を備え、
前記送信部は、前記第２受付部が前記更新確認信号の送信指示を受けると、前記更新確認信号を送信する
ことを特徴とする請求項１から請求項３のいずれか１項に記載の無線通信システム。
【請求項５】
基地局から送信された無線信号を受信する無線受信機と、前記基地局を介して前記無線受信機に放送を行う親局とを備える無線通信システムにおける前記無線受信機の更新方法であって、
前記親局が送信した前記更新情報を受信し保持する保持工程と、
前記更新情報を受信した後に、前記親局から更新指示信号を受信し、保持した前記更新情報に基づいて更新処理を行う更新処理工程と、
前記更新指示信号の受信の後に、前記親局から更新確認信号を受信し、前記更新処理が完了したか否かを判断する判断工程と、
前記判断の結果を報知する報知工程とを備え、
前記親局が送信する前記更新情報は複数回送信された情報である
ことを特徴とする更新方法。
【発明の詳細な説明】
【技術分野】
【０００１】
本発明は、無線通信システム及び更新方法に係り、例えば、基地局から送信された無線信号を受信する無線受信機と、前記基地局を介して無線受信機に放送を行う親局とを備える無線通信システム及び更新方法に関する。
【背景技術】
【０００２】
近年、電気機器に搭載されるソフトウェアの規模が大きくかつ複雑になってきており、十分な評価を行っていても、想定外の問題が発生する可能性が少なくない。また市場や顧客要求によるソフトウェアの変更も多くなっている。
【０００３】
このような場合、従来は電気機器を店舗やサービス店に持って行き、電気機器のソフトウェア等の記録情報の変更を行ったり、サービス員が電気機器を使用している顧客の元を訪問してソフトウェアの変更を行っていた。また、近年、無線や有線といった通信機能が搭載されている電気機器においては、通信網を利用したソフトウェアの更新も行われている。
【０００４】
前者のような、店舗、サービス店やサービス員がソフトウェアの更新を行う手段の場合は、人間が更新作業を実施するため、ソフトウェアの更新が実施されたことを容易に確認することができる。しかし、後者のような通信網を利用したソフトウェア更新の場合、双方向の通信が可能でないと、更新が実施されたか確認することができない。さらに、無線通信のような、設置環境等により通信品質が不安定な通信網を使用する場合は、確認が重要となる。また、ソフトウェアが更新されたことを電気機器を使用しているユーザーに伝えることも重要であり、そのための表示部や操作部等のユーザーインターフェースが必要でとなる。
【０００５】
例えば、携帯電話のような双方向無線通信が可能なシステムの場合、無線通信を利用したソフトウェア等の記録情報の更新（以下、「エアダウンロード」という）は、システム側／ユーザー側の双方において、エアダウンロードが実施されたことや完了したことを無線通信で確認することが可能であり、またエアダウンロードの実施をユーザーに伝えるためのユーザーインターフェースがあらかじめ備わっているため、一般的な機能として搭載されている。
【０００６】
しかし、双方向無線通信が可能なシステムだけでなく、防災行政無線システムのように単方向無線通信システムも広く存在している（例えば特許文献１参照）。
【先行技術文献】
【特許文献】
【０００７】
【特許文献１】特開２０１３−１５０２９７号公報
【発明の開示】
【発明が解決しようとする課題】
【０００８】
ところで、特許文献１に開示の技術のような防災行政無線システム（同報無線）である単方向無線通信システムの受信機においても、エアダウンロードを実施することは可能だが、エアダウンロードが実施されたことを無線通信で確認することができない。そのため、システム開発においては、エアダウンロードを行う前提とした技術を念頭におくことが無かった。
【０００９】
また、防災行政無線システムの子局は、一般に防災用途（非常時の放送等の同報・拡声機能）に特化しているため、ユーザーの操作や表示部を確認をすることを想定されておらず、ハード的に表示部や操作部等のユーザーインターフェースが簡素化されている。さらに、機器を一旦設置工事した後は定期的な保守時を除いて放置に近い状態となっているため、表示等で更新をユーザーに伝えることも実質困難である。また、上記のような防災行政無線システムの子局のエアダウンロードにおいては、対象の子局を同―時刻に一斉に更新させる課題がある。これらの観点からもエアダウンロードによる更新を想定するものではなかった。
【００１０】
しかしながら、上述の様な単方向無線通信システムにおいてもソフトウェア等の記録情報の更新、特にエアダウンロードが求められるようになってきた。特に、この種のシステムにおいても通信方式の高度化等の観点からもそれら通信方式に関連するソフトウェアの更新が必要になるケースもでてきており、対策の技術が求められていた。特に、エアダウンロードの実行や確認のタイミングをシステム管理側がコントロールし、限られたユーザーインターフェースでユーザーにエアダウンロードの確認を行ってもらう必要がある。
【００１１】
本発明は、このような従来の事情に鑑みなされたもので、上記課題を解決することを目的とする。
【課題を解決するための手段】
【００１２】
本発明は、基地局から送信された無線信号を受信する無線受信機と、前記基地局を介して前記無線受信機に放送を行う親局とを備える無線通信システムであって、前記親局は、前記無線受信機に更新情報を複数回送信し、前記無線受信機に前記更新情報による更新処理を行わせる更新指示信号を送信した後に、前記無線受信機に更新処理の完了を確認させる更新確認信号を送信する送信部を備え、前記無線受信機は、受信した前記更新情報を保持する保持部と、前記更新指示信号を受信すると保持した前記更新情報に基づいて更新処理を行う更新処理部と、前記更新確認信号を受信すると前記更新処理が完了したか否かを判断する判断部と、前記判断部の判断結果を報知する報知部とを備える。
また、前記親局の前記送信部は、前記更新情報を複数の更新情報に分割し、分割した複数の前記更新情報に識別番号を付して複数回送信し、前記無線受信機は、受信した前記更新情報の識別番号に基づいて、前記更新情報を前記保持部が保持済みであるか否かを判断し、保持済みであれば当該更新情報を破棄し、保持していなければ前記更新情報を前記保持部に保持させる保持制御部を備えてもよい。
また、前記親局は、外部電話機から前記更新指示信号の送信指示を受ける第１受信部を備え、前記送信部は、前記第１受付部が前記更新指示信号の送信指示を受けると、前記更新指示信号を送信してもよい。
また、前記親局は、外部電話機から前記更新確認信号の送信指示を受ける第２受付部を備え、前記送信部は、前記第２受付部が前記更新確認信号の送信指示を受けると、前記更新確認信号を送信してもよい。
本発明の方法は、基地局から送信された無線信号を受信する無線受信機と、前記基地局を介して前記無線受信機に放送を行う親局とを備える無線通信システムにおける前記無線受信機の更新方法であって、前記親局が送信した前記更新情報を受信し保持する保持工程と、前記更新情報を受信した後に、前記親局から更新指示信号を受信し、保持した前記更新情報に基づいて更新処理を行う更新処理工程と、前記更新指示信号の受信の後に、前記親局から更新確認信号を受信し、前記更新処理が完了したか否かを判断する判断工程と、
前記判断の結果を報知する報知工程とを備え、前記親局が送信する前記更新情報は複数回送信された情報である。
【発明の効果】
【００１３】
以上、本発明によると、無線通信システムにおいて、エアダウンロードの実施を容易に確認できるシステムが実現できる。
【図面の簡単な説明】
【００１４】
【図１】第１の実施形態に係る、防災行政無線システム１の構成を示す機能ブロック図である。
【図２】第１の実施形態に係る、防災行政無線システムにおける、エアダウンロードの具体的な制御フロー例を示すフローチャートである。
【図３】第１の実施形態に係る、防災行政無線システムのエリアを複数の小エリアに分割して運用する例を示す図である。
【図４】第１の実施形態に係る、エアダウンロード実施の全体シーケンスを示す図である。
【図５】第１の実施形態に係る、ダウンロード動作とデータ格納状態の関係を示すテーブルである。
【図６】第１の実施形態に係る、電話機によるダウンロードデータの書き込み指示の動作を示すシーケンス図である。
【図７】第１の実施形態に係る、電話機によるダウンロードの確認指示の動作を示すシーケンス図である。
【図８】第２の実施形態に係る、防災行政無線システムの構成図である。
【発明を実施するための形態】
【００１５】
次に、本発明を実施するための形態（以下、単に「実施形態」という）を、図面を参照して具体的に説明する。
【００１６】
図１は、本実施形態に係る防災行政無線システム１の構成を示している。防災行政無線システム１は、複数の地区で構成される自治体において種々の情報を住民に伝達するものであり、自治体内の全域（全ての地区）又は一部地区の全住民に宛てた放送（同報放送）の発信を目的とした同報系放送システムとなっている。
【００１７】
防災行政無線システム１は、１台の同報系親局１０と地区毎に設けられた複数台の戸別受信機２０とを有する。同報系親局１０と戸別受信機２０との間の無線通信は、所定周波数の信号、例えば、周波数６０ＭＨｚのデジタル信号を用いて行われる。
【００１８】
同報系親局１０は、操作者（管理者等のユーザー）からの操作を受け付ける放送卓１４と、放送卓１４を遠隔的に操作するための遠隔操作装置１２と、基地局として機能し戸別受信機２０に放送通信を送出する無線装置１６とを備える。なお、放送卓１４及び遠隔操作装置１２を「親局」と称し、無線装置１６と区別する場合もある。
【００１９】
遠隔操作装置１２には公衆網５４を介して電話機８０を通信可能に接続することができる。電話機８０の操作者は、遠隔操作装置１２を通じて遠隔的に放送卓１４を操作できる。
【００２０】
同様に、遠隔操作装置１２にはインターネット網５２を介してＰＣ７０を通信可能に接続することができる。ＰＣ７０の操作者は、遠隔操作装置１２を通じて遠隔的に放送卓１４を操作できる。
【００２１】
戸別受信機２０は、通信部２１と、報知部２２と、情報更新部３０とを備える。報知部２２は、スピーカ２３とＬＥＤ２４とを備える。
【００２２】
通信部２１は同報系親局１０の無線装置１６から送出された放送信号を受信し、受信した放送信号に自局を指定する所定のＩＤ（アドレス）が含まれる場合には、内蔵のスピーカ２３から音声出力する。また、後述するエアダウンロード処理が行われた場合の処理状態を報知する際に、ＬＥＤ２４が所定の表示態様で点灯する。
【００２３】
情報更新部３０は、エアダウンロードを実行し戸別受信機２０に設定されているプログラムを更新する。具体的には、情報更新部３０は、更新制御部３１と、更新情報保持部３２と、保持制御部３３とを備える。
【００２４】
更新制御部３１は、エアダウンロードによる更新データの受信処理を行い、更新情報保持部３２に保持し、かつ更新指示信号を受信すると保持した更新情報に基づいて更新処理を行う。また、更新制御部３１は、更新処理が完了したか否かを判断し、判断結果を報知部２２を用いて報知する。ここでは、ＬＥＤ２４を所定の態様で点灯させることで報知がなされる。
【００２５】
図２は、単方向無線通信システムである防災行政無線システム１における、エアダウンロードの具体的な制御フロー例を示すフローチャートである。このフローを参照して処理の概要を説明する。
【００２６】
システム管理側、つまり、戸別受信機２０のソフトウェア等の記録情報の更新を実施したい場合、戸別受信機２０のソフトウェア更新用データを遠隔操作装置１２に登録する（Ｓ１０）。その際、遠隔操作装置１２には、エアダウンロードでデータを転送する時間と回数も登録する。
【００２７】
遠隔操作装置１２は、エアダウンロードでデータ転送する時間になったら（Ｓ１１のＹ）、戸別受信機２０のソフトウェア更新用データを放送卓１４と無線装置１６を経由して無線で戸別受信機２０に転送する（Ｓ１２）。戸別受信機２０は、受信したデータを戸別受信機２０内の受信バッファエリアに保存する。エアダウンロードのデータ転送時間になるまでは（Ｓ１１のＮ）、遠隔操作装置１２はエアダウンロード処理を待機状態とする。エアダウンロードが開始されると遠隔操作装置１２は所定の転送回数が終了したか否かを確認する（Ｓ１３）。
【００２８】
遠隔操作装置１２は、指定された回数転送が終了するまで（Ｓ１３のＮ）、繰り返しデータ転送する。戸別受信機２０側は、複数回受信することで、受信エラー等で正常に受信出来なかったデータを補完する。
【００２９】
双方向通信では、受信エラー等で正常に受信できなかった場合、受信出来なかったデータを再要求することが可能だが、単方向通信では、これらが出来ないために複数回転送し、データの信頼性を上げる。なお、この時点で戸別受信機２０側は、データを受信バッファエリアに保存しているだけで、遠隔操作装置１２からの更新指示があるまでは最終的な更新まで実施していない。
【００３０】
遠隔操作装置１２は、指定された回数転送が完了したら（Ｓ１３のＹ）、システム管理者が別途指定した時刻にて、戸別受信機２０の受信バッファに保存されていたデータを最終的な更新実行するよう無線で指示する（Ｓ１４）。更新を実行するよう指示された戸別受信機２０は、受信バッファに保存されたデータに誤りや欠落が無く、更新しても問題無いデータであること確認後、データの更新を実行する。逆にデータに誤りや欠落が合った場合は、データの更新は実行しない。
【００３１】
この段階でシステム管理側は、戸別受信機２０が正常に更新されたか確認することが出来ない。また、戸別受信機２０を使用しているユーザー側も、ソフトウェアの更新が実施されたことがわからない。
【００３２】
システム管理側は、遠隔操作装置１２から戸別受信機２０に対して、ソフトウェアの更新（つまりエアダウンロード）が正常に実施されたか確認するため、無線で確認指示する（Ｓ１５）。確認を指示された戸別受信機２０は、戸別受信機２０にある既存のユーザーインターフェース（例えば、報知部２２のＬＥＤ２４）を使用し、正常に更新されたか否かをユーザーに対して示す。なお、報知方法として、上述のＬＥＤ２４で示す方法や音声メッセージやアラーム音等をスピーカ２３から出力する方法がある。また確認指示はシステム管理側が制御するため、戸別受信機２０を使用するユーザーは確認するための操作を行わなくて良い。システム管理側は、戸別受信機２０を使用するユーザーに対して、確認内容を通知してもらうことでソフトウェアの更新が正常に更新されたか確認することができる。
【００３３】
従来では、更新の実施指示や確認の指示をシステム管理側が遠隔操作装置１２を直接制御して実施していたが、遠隔操作装置１２を含む同報系親局１０は、必ずしも屋内や都市部といった環境の良い場所に設置されているとは限らない。遠隔操作装置１２は、公衆網５４やインターネット網５２と接続されており、公衆網５４を利用した電話機８０やインターネット網５２を利用したＰＣ７０から更新の実施指示や確認の指示を制御することができる。そのため、悪天候時や山間部に設置された同報系親局１０を容易に制御出来る。
【００３４】
なお、システム管理側が戸別受信機２０を使用するユーザーに確認内容を通知してもらう方法としては、書面で確認する方法、電話で確認する方法や訪問して確認する方法等人間対人間となる。このような場合、戸別受信機２０を制御するタイミングとユーザーに確認するタイミングを細かく簡単に制御出来る必要があり、前述の電話機８０やＰＣ７０で確認指示できる制御は大変有効である。
【００３５】
例えば、ソフトウェアの更新を実施したい対象の戸別受信機２０を使用するユーザーに、電話機８０でソフトウェアの更新について説明する。その後、対象の戸別受信機２０に対して電話機８０又はＰＣ７０を使用して確認指示をし、再度、戸別受信機２０を使用するユーザーに電話機８０で戸別受信機２０の表示もしくは鳴動した音声の内容について確認をとることで、更新が正常に行われたか確認することが可能である。その他、小エリア（コミュニティ等のグループ）ごとに代表者を決めて、代表者が管理する戸別受信機２０にてソフトウェアの更新の確認と連絡を代表で行うようにすることも可能である。また、更新する戸別受信機２０を小エリア（コミュニティ等のグループ）に分割し、システム管理者が更新するグループを順次設定することも可能である。
【００３６】
次に、防災行政無線システム１での具体的な実施例について、図３を参照して説明する。一般に、防災行政無線システム１では、１つの同報系親局１０に対して、数十台から数千台といった多数の戸別受信機２０が配置されている。ソフトウェアの更新対象が全台数となった場合、エアダウンロード機能は大変有効な手段である。しかし、前述のような確認作業を実施する場合、一括で全数確認するのは困難な為、対象エリアを絞り込む必要がある。
【００３７】
例えば、同報系親局１０に対して全台数を対象としたエリアを大規模エリアグループ９０とし、その大規模エリア９０の中に数十台程度の小規模エリアのグループを割り当てる。ここでは、小規模エリアのグループとして第１〜第３の小規模エリア９２Ａ〜９２Ｃが設定されている。また、第１〜第３の小規模エリア９２Ａ〜９２Ｃのそれぞれには６台の戸別受信機２０ａ、２０ｂ、２０ｃが配置されている。さらに、戸別受信機２０ａ、２０ｂ、２０ｃには、それぞれの個別番号が割り当てられている。
【００３８】
エアダウンロードのデータ転送については、データ量も多く、対象範囲を最大としたいため大規模エリアのグループで実施する。エアダウンロードデータの更新実行や更新確認については、その指示のためのデータ量が少なく即時に指示することが可能であり、小規模エリアのグループもしくは個別番号を使用して最終的に処理を行う対象範囲も限定して、小規模エリアのグループもしくは個別番号単位で実施する。
【００３９】
次に、エアダウンロード実施の全体シーケンスや各処理の詳細について図面を用いて説明する。図４は、全体シーケンスを示す処理である。
【００４０】
＜エアダウンロード実施の流れ＞
操作者は、戸別受信機２０へエアダウンロードを行う対象のファイルを遠隔操作装置１２の指定フォルダに格納する（Ｓ１０１）。このファイル格納時にエアダウンロード開始の時刻が同時に指定される。
【００４１】
指定された時刻になると、エアダウンロード処理が開始する（Ｓ１０２）。まず、遠隔操作装置１２は、上述の指定フォルダを参照し、対象ファイルを読込み、放送卓１４にエアダウンロードの開始信号を送信する（Ｓ１０３）。
【００４２】
放送卓１４は受信したエアダウンロードの開始信号を基地局である無線装置１６へ送信し（Ｓ１０４）、送信が完了すると遠隔操作装置１２へ送信完了の信号を送信する（Ｓ１０５）。無線装置１６は放送卓１４から受信したエアダウンロードの開始信号を戸別受信機２０へ送信する（Ｓ１０６）。戸別受信機２０（戸別受信機）は、無線装置１６から受信したエアダウンロードの開始信号により、エアダウンロードの準備を行う。
【００４３】
つぎに、遠隔操作装置１２は、放送卓１４から受信したエアダウンロードの開始信号の送信完了信号により、エアダウンロード処理を複数回実行する（Ｓ１１０ａ〜Ｓ１１０ｎ）。
【００４４】
まず遠隔操作装置１２は、放送卓１４へエアダウンロード内容の送信を行う（Ｓ１１１）。このとき、データ内容を一度に送らず、例えば２５０バイト毎に分割し送信を行う。また、放送卓１４からのエアダウンロード内容の送信完了受信により、次のエアダウンロード内容の送信を行い、全データ分を繰り返し送信する。
【００４５】
放送卓１４は受信したエアダウンロード内容信号を無線装置１６へ送信し（Ｓ１１２）、送信が完了すると遠隔操作装置１２へ送信完了の信号を送信する（Ｓ１１３）。
【００４６】
無線装置１６は放送卓１４から受信したエアダウンロード内容の信号を戸別受信機２０へ送信する（Ｓ１１４）。そして、戸別受信機２０において、更新制御部３１は、無線装置１６から受信したエアダウンロード内容の信号により、エアダウンロード内容を更新情報保持部３２に格納する。
【００４７】
遠隔操作装置１２は、全てのエアダウンロード内容の送信を完了すると（Ｓ１１０ａ〜Ｓ１１０ｎ）、エアダウンロードの終了信号の送信を行う（Ｓ１２１）。
【００４８】
放送卓１４は受信したエアダウンロードの終了信号を無線装置１６へ送信し（Ｓ１２２）、送信が完了すると遠隔操作装置１２へ送信完了の信号を送信する（Ｓ１２３）。その後、遠隔操作装置１２はエアダウンロードの終了を行う（Ｓ１３０）
無線装置１６は放送卓１４から受信したエアダウンロードの終了信号を戸別受信機２０へ送信する（Ｓ１２４）。戸別受信機２０は、無線装置１６から受信したエアダウンロードの終了信号により、エアダウンロードの終了を行う（Ｓ１３１）。
【００４９】
＜繰り返し放送による戸別受信機のデータ補完＞
図５は、繰り返し放送による戸別受信機のデータ補完の状態を示すテーブルである。無線装置１６と戸別受信機２０の間は、無線区間のためダウンロードデータの取りこぼしの可能性がある。そこで、遠隔操作装置１２からのダウンロードシーケンスを指定されたダウンロード回数が完了するまで、毎日同じ時間にダウンロードシーケンスを実施する。また、更新データは７つに分割して送信される。
【００５０】
戸別受信機２０は、同一のダウンロードシーケンスＩＤで一度受信したデータを再度受信した場合は破棄し、２度目以降で不足しているデータを受信した場合に格納を行う。例えば、図５（ａ）は、初日（第１日目）のダウンロード動作とデータ格納状態を示している。受信番号１、２、４、７のデータについては受信され格納されている。受信番号３、５、６のデータについては未受信でありデータは未格納となっている。
【００５１】
図５（ｂ）は、第２日目のダウンロード動作とデータ格納状態を示している。受信番号１、２、４、７のデータについては既に受信済みでデータ格納済みですので、あらたに受信したデータは破棄される。受信番号３、６のデータについては新たにデータを受信しデータが格納されている。受信番号５のデータについては依然として未受信の状態である。
【００５２】
図５（ｃ）は、第Ｎ日目のダウンロード動作とデータ格納状態を示している。受信番号１〜４、６、７のデータについては既に受信済みでデータ格納済みですので、あらたに受信したデータは破棄される。受信番号５のデータは、新たに受信され格納されている。
【００５３】
このような繰り返し処理を実行することで、データの取りこぼしが発生した場合もダウンロードシーケンスを繰り返すことで、ダウンロードデータの補完を行い、全データの格納を行う。
【００５４】
なお、ダウンロードシーケンスＩＤが不一致の場合、格納済みのデータをクリアし、最初から格納を実施する。
【００５５】
＜第１受付機能：電話機によるダウンロードデータの書き込み指示＞
つづいて、図６を参照して電話機８０によるダウンロードデータの書き込み指示について説明する。遠隔操作装置１２は、電話機８０やＰＣ７０によるダウンロードデータの書き込み指示を受け付ける第１受付機能を有する。ここでは、電話機８０による操作を説明する。
【００５６】
まず、公衆網５４に接続されている電話機８０により公衆網５４を介して遠隔操作装置１２に接続し、遠隔操作装置１２に対してエアダウンロードの書き込み指示の登録がなされる（Ｓ２０１）。
【００５７】
遠隔操作装置１２は、登録されたエアダウンロードの書き込み指示に従い、エアダウンロード書き込みを開始する（Ｓ２０２）。まず、遠隔操作装置１２は、放送卓１４にエアダウンロードの書き込み信号を送信する（Ｓ２０３）。
【００５８】
放送卓１４は受信したエアダウンロードの書き込み信号を無線装置１６へ送信し（Ｓ２０４）、送信が完了すると遠隔操作装置１２へ送信完了の信号を送信する（Ｓ２０５）。
【００５９】
無線装置１６は放送卓１４から受信したエアダウンロードの書き込み信号を戸別受信機２０へ送信する（Ｓ２０７）。戸別受信機２０は、無線装置１６から受信したエアダウンロードの書き込み信号により、格納済みのエアダウンロード内容に更新を行う。戸別受信機２０は、書き込みが完了した場合、戸別受信機２０のリセットを行い、更新内容を反映する（Ｓ２０８）。また、遠隔操作装置１２では、放送卓１４からの送信完了の信号を受信すると当該処理を終了する（Ｓ２０６）。
【００６０】
＜第２受付機能：電話機によるダウンロードの確認指示＞
つぎに、図７を参照して電話機８０によるダウンロードの確認指示について説明する。遠隔操作装置１２は、電話機８０やＰＣ７０によるダウンロードの確認指示を受け付ける第２受付機能を有する。電話機８０により公衆網５４を介して遠隔操作装置１２に対して、エアダウンロードの確認指示の登録を行う（Ｓ３０１）。
【００６１】
遠隔操作装置１２は、登録されたエアダウンロードの確認指示に従い、エアダウンロード確認指示を開始する（Ｓ３０２）。
【００６２】
まず、遠隔操作装置１２は、登録されたエアダウンロードの確認指示に従い、放送卓１４にエアダウンロードの確認信号を送信する（Ｓ３０３）。
【００６３】
放送卓１４は受信したエアダウンロードの書き込み信号を無線装置１６へ送信し（Ｓ３０４）、送信が完了すると遠隔操作装置１２へ送信完了の信号を送信する（Ｓ３０５）。無線装置１６は放送卓１４から受信したエアダウンロードの確認信号を戸別受信機２０へ送信する（Ｓ３０７）。
【００６４】
戸別受信機２０は、無線装置１６から受信したエアダウンロードの確認信号（エアダウンロード対象、対象のバージョン）により、現在稼働中のエアダウンロード確認対象が確認信号のバージョンと一致するかをチェックし、チェック内容により戸別受信機２０のＬＥＤ２４を次の通り表示する（Ｓ３０８）。なお、ＬＥＤ表示は例えば２４時間表示し、２４時間経過で自動消灯する。
バージョン一致    ・・・・青点灯
バージョン不一致  ・・・・ピンク点灯
【００６５】
遠隔操作装置１２では、放送卓１４からの送信完了の信号を受信すると当該処理を終了する（Ｓ３０６）。
【００６６】
＜エアダウンロードの確認指示による表示内容の確認＞
エアダウンロードの確認指示によるＬＥＤ表示の確認は、以下の方法により確認を行う。確認により、エアダウンロードが失敗している場合は、個別に手動によるダウンロードを実施する。
【００６７】
（１）事前の音声放送による確認依頼
エアダウンロードの確認指示を実施する前に、確認指示によるＬＥＤ表示が行われる旨および表示結果が失敗時は役所等の管理者へ連絡をして頂く旨の音声放送を実施し、住民に通知する。
（２）事前に葉書等による確認依頼
エアダウンロードの確認指示を実施する前に、確認指示によるＬＥＤ表示が行われる旨および表示結果が失敗時は役所等の管理者へ連絡をして頂く旨の葉書を住民に通知する。
（３）確認指示後の電話による個別確認
エアダウンロードの確認指示を実施後に、個別に住民へ電話連絡を行い、ＬＥＤ表示状態を確認する。
【００６８】
以上、本実施形態によると、エアダウンロード機能の実現により、全ての戸別受信機２０に対して、個別にダウンロードを行わず、一括操作で複数の戸別受信機２０に対するダウンロード・書き込み・確認の実施が可能となる。特に、単方向無線通信を使う防災行政無線システム１のような同報系通信システムにおいて効果的である。
【００６９】
＜第２の実施形態＞
図８は本実施形態に係る防災行政無線システム１０１の構成を示すブロック図である。本実施形態の防災行政無線システム１０１は、複数の地区で構成される自治体において種々の情報を住民に伝達するものであり、大別して、自治体内の全域（全ての地区）又は一部地区の全住民に宛てた放送（同報系）の発信を目的とした同報系設備と、地区毎に設けられ、その地区内の住民に宛てた放送（地区放送）の発信を目的とした地区放送（地域振興）設備とで構成される。本例では、複数であるＮ個の地区（第１〜第Ｎ地区放送系１０２−１〜１０２−Ｎ）で構成された自治体についてＮ個の地区放送（地域振興）設備が設けられている。
【００７０】
同報系親局１１０は、第１の実施形態の同報系親局１０と同様の構成となっており、
本実施形態のエアダウンロードは、第１〜第Ｎ地区放送系１０２−１〜１０２−Ｎに同報通信を送信する。第１〜第Ｎ地区放送系１０２−１〜１０２−Ｎは、実質的に同じ構成となっており、それぞれの放送系は、地区放送親局１１１と複数の戸別受信機１２０（子局）とを備える。
【００７１】
地区放送親局１１１は、放送卓１１４、遠隔操作装置１１２及び無線装置１１６を有する。放送卓１１４、遠隔操作装置１１２及び無線装置１１６は、第１の実施形態の同報系親局１０の放送卓１４、遠隔操作装置１２及び無線装置１６と同様の機能を有する。なお、遠隔操作装置１１２には同報系子局１５１が接続されており、同報系親局１０からの放送を受信する。また、戸別受信機１２０は、第１の実施形態の戸別受信機２０と同様の構成・機能を有し、エアダウンロードによる情報更新が可能となっている。
【００７２】
また、遠隔操作装置１１２は、インターネット網５２を介してＰＣ７０と、公衆網５４を介して電話機８０と接続する。したがって、操作者は電話機８０やＰＣ７０を用いて第１〜第Ｎ地区放送系１０２−１〜１０２−Ｎの遠隔操作装置１１２を操作し放送卓１１４から無線装置１１６に対して所望の更新データを送信するように指示することができる。
【００７３】
したがって、本実施形態においても、第１の実施形態と同様に、エアダウンロード機能の実現により、全ての戸別受信機１２０に対して、個別にダウンロードを行わず、一括操作で複数の戸別受信機１２０に対するダウンロード・書き込み・確認の実施が可能となる。
【００７４】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００７５】
１、１０１  防災行政無線システム
１０、１１０  同報系親局
１２、１１２  遠隔操作装置
１４、１１４  放送卓
１６、１１６  無線装置
２０、２０ａ、２０ｂ、２０ｃ、１２０  戸別受信機
２１  通信部
２２  報知部
２３  スピーカ
２４  ＬＥＤ
３０  情報更新部
３１  更新制御部
３２  更新情報保持部
３３  保持制御部
５２  インターネット網
５４  公衆網
７０  ＰＣ
８０  電話機
１１１  地区放送親局
１５１  同報系子局
【図１】
2015211261.tif 000003
【図２】
2015211261.tif 000004
【図３】
2015211261.tif 000005
【図４】
2015211261.tif 000006
【図５】
2015211261.tif 000007
【図６】
2015211261.tif 000008
【図７】
2015211261.tif 000009
【図８】
2015211261.tif 000010